(57)【要約】【解決手段】底部１にヒンジ連結された一方の相対する側壁２と、同じく、底部にヒンジ連結されたもう一方の相対する側壁３とを有し、箱型に組み立てられた状態から、一方の相対する側壁２を、底部に方向に倒し、次いで、もう一方の相対する側壁３を、底部に方向に倒すことにより、折り畳み可能な折り畳みコンテナーにおいて、一方の相対する側壁２に配設されたロック部材Ｈに、複数の嵌合ブロックｈ２を形成し、該複数の嵌合ブロックに対応して、もう一方の相対する側壁３に、前記複数の嵌合ブロックが嵌合可能な複数の嵌合凹部３ｄを形成したものである。【効果】箱型に組み立てられた折り畳みコンテナーの側壁の内側方向或いは外側方向への変形を抑制することができる。【選択図】図６
2005104490.tif 000002
【特許請求の範囲】
【請求項１】
底部にヒンジ連結された一方の相対する側壁と、同じく、底部にヒンジ連結されたもう一方の相対する側壁とを有し、箱型に組み立てられた状態から、一方の相対する側壁を、底部に方向に倒し、次いで、もう一方の相対する側壁を、底部に方向に倒すことにより、折り畳み可能な折り畳みコンテナーにおいて、一方の相対する側壁に配設されたロック部材に、複数の嵌合ブロックを形成するとともに、該複数の嵌合ブロックに対応して、もう一方の相対する側壁に、前記複数の嵌合ブロックが嵌合可能な複数の嵌合凹部を形成したことを特徴とする折り畳みコンテナー。
【請求項２】
ロック部材が配設された側壁に、操作用窓孔を穿設し、該操作用窓孔を通して、ロック部材を、箱型に組み立てられた折り畳みコンテナーの内側から操作可能としたことを特徴とする請求項１に記載の折り畳みコンテナー。
【発明の詳細な説明】
【技術分野】
【０００１】
本発明は、底部にヒンジ連結された側壁を有する折り畳みコンテナーに関するものであり、箱型に組み立てられた状態から、一方の相対する側壁を、底部に重なるように倒し、次いで、もう一方の相対する側壁を、底部に重ねられた一方の相対する側壁の上に、重なるように倒すことにより、折り畳むことができる折り畳みコンテナーに関するものである。
【背景技術】
【０００２】
上述した折り畳みコンテナーにおいて、箱型に組み立てられた状態から、先に倒される側壁と後から倒される側壁とを、側壁の上端部に配設されたロック部材によりロックすることにより、箱型に組み立てられた状態において、上記先に倒される側壁が、底部方向に倒れることを防止するようにした折り畳みコンテナーが、特許文献１に開示されている。また、このようなロック部材を、側壁の上端部と中程に配設した折り畳みコンテナーが、特許文献２に開示されている。
【特許文献１】実開昭６３−１１７７２５号公報
【特許文献２】特公平８−５４７９号公報
【発明の開示】
【発明が解決しようとする課題】
【０００３】
上述したようなロック部材が、側壁の上端部に配設されている折り畳みコンテナーにおいては、側壁の中央部分には、ロック部材が配設されていないので、箱型に組み立てられた状態の側壁の中央部分が、箱型に組み立てられた折り畳みコンテナーの外側方向或いは内側方向に変形するという問題があった。
【０００４】
また、ロック部材を、側壁の上端部と中程の２箇所に配設した場合には、ロック部材の解除作業を、２回行わなければならず、従って、ロック部材の解除作業の作業性が悪いという問題があった。
【課題を解決するための手段】
【０００５】
本発明は、上述した目的を達成するために、底部にヒンジ連結された一方の相対する側壁と、同じく、底部にヒンジ連結されたもう一方の相対する側壁とを有し、箱型に組み立てられた状態から、一方の相対する側壁を、底部に方向に倒し、次いで、もう一方の相対する側壁を、底部に方向に倒すことにより、折り畳み可能な折り畳みコンテナーにおいて、第１には、一方の相対する側壁に配設されたロック部材に、複数の嵌合ブロックを形成し、該複数の嵌合ブロックに対応して、もう一方の相対する側壁に、前記複数の嵌合ブロックが嵌合可能な複数の嵌合凹部を形成したものであり、第２には、ロック部材が配設された側壁に、操作用窓孔を穿設し、該操作用窓孔を通して、ロック部材を、箱型に組み立てられた折り畳みコンテナーの内側から操作可能としたものである。
【発明の効果】
【０００６】
一方の相対する側壁に配設されたロック部材に、複数の嵌合ブロックを形成し、該複数の嵌合ブロックに対応して、もう一方の相対する側壁に、前記複数の嵌合ブロックが嵌合可能な複数の嵌合凹部を形成したので、箱型に組み立てられた折り畳みコンテナーの側壁の内側方向或いは外側方向への変形を抑制することができる。
【０００７】
ロック部材に、複数の嵌合ブロックを形成し、ロック部材の一度の操作により、複数の嵌合ブロックを、嵌合凹部に嵌合し或いは嵌合凹部から排出するように構成したので、折り畳みコンテナーの組み立て作業或いは折り畳み作業の作業性が向上する。
【０００８】
ロック部材が配設された側壁に、操作用窓孔を穿設し、該操作用窓孔を通して、ロック部材を、箱型に組み立てられた折り畳みコンテナーの内側から操作可能としたので、折り畳みコンテナーの折り畳み作業の作業性が向上するとともに、操作用窓孔を通して、ロック部材の位置が確認できるので、折り畳みコンテナーの折り畳み作業の作業性が更に向上する。
【実施例】
【０００９】
以下に、本発明の実施例について説明するが、本発明の趣旨を越えない限り何ら、本実施例に限定されるものではない。
【００１０】
１は、底部であり、底部１の相対する長辺には、長辺側土手部１ａが立設されており、また、底部１の相対する短辺には、短辺側土手部１ｂが立設されている。短辺側土手部１ｂの高さは、長辺側土手部１ａの高さより、高く構成されている。２は、底部１の相対する長辺側土手部１ａに、適当なヒンジ部材によりヒンジ連結された長側壁であり、３は、底部１の相対する短辺側土手部１ｂに、適当なヒンジ部材によりヒンジ連結された短側壁である。
【００１１】
図１に示されているように、箱型に組み立てられた状態から、図３に示されているように折り畳むには、先ず最初に、後述するロック部材を解除して、長側壁２を、底部１方向に倒して、図２に示されているように、長側壁２を、底部１に重ねる。次いで、短側壁３を、底部１方向に倒して、底部１に重ねられている長側壁２の上に重ねることにより、図３に示されているように、折り畳むことができるように構成されてる。また、図３に示されている折り畳まれた状態から、短側壁３を、略垂直に立て、次いで、長側壁２を、略垂直に立てることにより、図１に示されている箱型に組み立てられることができるように構成されている。
【００１２】
次に、図１〜図４を用いて、長側壁２について説明する。
【００１３】
長側壁２は、横長の略長方形状の板状部２ａを有しており、板状部２ａは、板状部２ａの周縁から、板状部２ａに対して略垂直に延在する周状フランジ部２ｂにより囲まれている。
【００１４】
長側壁２には、板状部２ａを、周状フランジ部２ｂを構成する相対する垂直フランジ２ｂ１を越えて外側に延長することにより、縦長の係止枠４が形成されている。係止枠４の垂直端には、周状フランジ部２ｂの垂直部２ｂ１と略平行な嵌合突片４ａが、上下方向に、適当数、形成されている。本実施例には、４個の嵌合突片４ａが形成されている例が示されている。
【００１５】
周状フランジ部２ｂの垂直フランジ２ｂ１の上端付近には、縦長の長方形状の透孔５ａが穿設されており、また、周状フランジ部２ｂの垂直フランジ２ｂ１の中程にも、縦長の長方形状の透孔５ｂが穿設されている。本実施例には、係止枠４の上端部に形成された、最上部の嵌合突片４ａと上から２番目の嵌合突片４ａとの間に、上に位置する透孔５ａが穿設されており、また、最下部の嵌合突片４ａと下から２番目の嵌合突片４ａとの間に、下に位置する透孔５ｂが穿設されており、上に位置する透孔５ａと下に位置する透孔５ｂとの間に、２個の嵌合突片４ａが位置する例が示されている。
【００１６】
長側壁２の周状フランジ部２ｂを形成する垂直フランジ等２ｂ１に穿設された２個の透孔５ａ、５ｂのうち、上に位置する透孔５ａの上方近傍には、周状フランジ部２ｂを形成する上端フランジ２ｂ２と平行に、上部水平リブ６が形成されており、また、下に位置する透孔５ａの下方近傍には、上記の上端フランジ２ｂ２と平行に、下部水平リブ７が形成されている。また、長側壁２の板状部２ａには、所定の間隔を置いて、周状フランジ部２ｂの上端フランジ２ｂ２から下端フランジ２ｂ３まで延在する適当数の垂直リブ８が形成されている。なお、必要に応じて、適宜、長側壁２の板状部２ａに、水平リブや垂直リブを形成することができる。
【００１７】
上述したように、長側壁２の板状部２ａには、周状フランジ部２ｂや上部水平リブ６や下部水平リブ７や垂直リブ８等が、板状部２ａに対して略垂直に形成されており、これら周状フランジ部２ｂや上部水平リブ６や下部水平リブ７や垂直リブ８等が、形成されている面が、折り畳みコンテナーを箱型に組み立てた際に、外側に位置する外壁面２ａ１を形成し、折り畳みコンテナーを箱型に組み立てた際に、内側に位置する内壁面２ａ２は、このような周状フランジ部２ｂやリブが形成されていない平坦な面に形成されている。
【００１８】
長側壁２の板状部２ａには、周状フランジ部２ｂを構成する垂直フランジ２ｂ１と、上部水平リブ６と、下部水平リブ７と、垂直フランジ２ｂ１に一番近い垂直リブ（以下、垂直フランジ側垂直リブと称し、符号８ａを付す。）８ａとにより囲まれた、後述するロック部材が配設されるロック部材配設領域Ａが形成されている。
【００１９】
垂直フランジ側垂直リブ８ａに接近して、ロック部材配設領域Ａ内には、上部水平リブ６と下部水平リブ７とを連結する弾性片収納リブ９が形成されている。弾性片収納リブ９には、弾性片収納リブ９を、垂直フランジ側垂直リブ８ａ方向に膨出させることにより、２箇所の略くの字状の凹部９ａが形成されている。本実施例においては、略くの字状の凹部９ａが、凹部９ａの中央部に位置する垂直部９ａ１と、垂直部９ａ１の上端から上方に延在する上部傾斜部９ａ２と、垂直部９ａ１の下端から下方に延在する下部傾斜部９ａ３とから形成されている例が示されている。なお、１０は、弾性片収納リブ９と垂直フランジ側垂直リブ８ａとを、適当な個所で連結する、弾性片収納リブ９を補強するための複数の水平連結リブである。
【００２０】
また、ロック部材配設領域Ａ内に位置する上部水平リブ６の下面の略中央部には、係止ブロック６ａが垂下されており、係止ブロック６ａと長側壁２を形成する板状部２ａの外壁面２ａ１との間には、所定の間隙が形成されている。同様に、ロック部材配設領域Ａ内に位置する下部水平リブ７の上面の略中央部には、係止ブロック７ａが立設されており、係止ブロック７ａと長側壁２を形成する板状部２ａの外壁面２ａ１との間には、所定の間隙が形成されている。
【００２１】
Ｈは、上述したロック部材配設領域Ａ内に配設されるロック部材である。ロック部材Ｈは、箱状の基部ｈ１を有しており、基部ｈ１は、相対する垂直側板ｈ１ａと、相対する垂直側板ｈ１ａの上端を連結する上部板ｈ１ｂと、相対する垂直側板ｈ１ａの下端を連結する下部板ｈ１ｃとを有しているとともに、相対する垂直側板ｈ１ａと上部板ｈ１ｂと下部板ｈ１ｃにより形成される空間部の一方の開口を閉鎖する天板ｈ１ｄとから構成されており、天板ｈ１ｄは、一方の垂直側板ｈ１ａを越えて延在しており、この延在部分により、庇部ｈ１ｅが形成されている。
【００２２】
庇部ｈ１ｅに対して反対側に位置するもう一方の垂直側板ｈ１ａには、所定の間隔を置いて、且つ、垂直側板ｈ１ａに対して垂直な、一対の嵌合ブロックｈ２が形成されている。
【００２３】
また、庇部ｈ１ｅ側に位置する一方の垂直側板ｈ１ａには、垂直側板ｈ１ａに対して垂直な弾性片取付ブロックｈ３ａが取着されている。そして、弾性片取付ブロックｈ３ａの上面の先端部には、垂直側板ｈ１ａ方向に向かって上方に傾斜した上部弾性片ｈ３ｂが取着されているとともに、弾性片取付ブロックｈ３ａの下面の先端部にも、垂直側板ｈ１ａ方向に向かって下方に傾斜した下部弾性片ｈ３ｃが取着されており、弾性片取付ブロックｈ３ａと上部弾性片ｈ３ｂと下部弾性片ｈ３ｃとにより、矢印状の弾性部材ｈ３が形成されている。このような構成を有する弾性部材ｈ３は、庇部ｈ１ｅ側に位置する一方の垂直側板ｈ１ａに、所定の間隔を置いて、一対、配設されているとともに、庇部ｈ１ｅの下に配設されている。
【００２４】
上述したロック部材Ｈの基部ｈ１を形成する上部板ｈ１ｂの長手方向の略中央部先端には、上部板ｈ１ｂに垂直な上部ガイド板ｈ４が立設されている。同様に、ロック部材Ｈの基部ｈ１を形成する下部板ｈ１ｃの長手方向の略中央部先端にも、下部板ｈ１ｃに垂直な下部ガイド板ｈ５が垂設されている。
【００２５】
なお、ロック部材Ｈの基部ｈ１を形成する天板ｈ１ｄの所定の領域を、箱型に形成された基部ｈ１の内側に向かって、凹ますことにより、手や指が挿入可能な操作用凹部ｈ６が形成されている。
【００２６】
次に、上述した構成を有するロック部材Ｈの長側壁２に形成されたロック部材配設領域Ａ内への取り付けについて説明する。
【００２７】
ロック部材Ｈの天板ｈ１ｄが、外側に位置するように（ロック部材Ｈの天板ｈ１ｄに形成された操作用凹部ｈ６が外側に位置するように）配置するとともに、ロック部材Ｈの一対の嵌合ブロックｈ２を、長側壁２の周状フランジ部２ｂを形成する垂直フランジ２ｂ１に穿設された一対の透孔５ａ、５ｂに嵌合する。また、ロック部材Ｈに取着された一対の弾性部材ｈ３を、弾性部材ｈ３を形成する上部弾性片ｈ３ｂが、ロック部材配設領域Ａ内に位置する弾性片収納リブ９に形成された一対の凹部９ａを形成する上部傾斜部９ａ２に当接するとともに、弾性部材ｈ３を形成する下部弾性片ｈ３ｃが、ロック部材配設領域Ａ内に位置する弾性片収納リブ９に形成された一対の凹部９ａを形成する下部傾斜部９ａ３に当接するように、弾性片収納リブ９に形成された一対の凹部９ａ内に挿着する。更に、ロック部材Ｈの基部ｈ１を形成する上部板ｈ１ｂに立設された上部ガイド板ｈ４を、ロック部材配設領域Ａ内に位置する上部水平リブ６の下面に垂下された係止ブロック６ａと板状部２ａの外壁面２ａ１との間に形成された間隙に挿入するとともに、同様に、ロック部材Ｈの基部ｈ１を形成する下部板ｈ１ｃに垂設された下部ガイド板ｈ５を、ロック部材配設領域Ａ内に位置する下部水平リブ７の上面に立設された係止ブロック７ａと板状部２ａの外壁面２ａ１との間に形成された間隙に挿入する。
【００２８】
上述したように、長側壁２の両側に形成された２つのロック部材配設領域Ａへ、それぞれ、一対のロック部材Ｈを取り付ける。このように、ロック部材Ｈが、長側壁２に形成されたロック部材配設領域Ａ内に配設された状態においては、ロック部材Ｈを形成する弾性部材ｈ３の上部弾性片ｈ３ｂと下部弾性片ｈ３ｃとが、上述したように、長側壁２に形成されたロック部材配設領域Ａ内に位置する弾性片収納リブ９の凹部９ａを形成する上部傾斜部９ａ２と下部傾斜部９ａ３とにそれぞれ当接するとともに、上部弾性片ｈ３ｂの先端と下部弾性片ｈ３ｃの先端とが、互いに接近する方向に弾性変形した状態にある。従って、弾性変形している上部弾性片ｈ３ｂと下部弾性片ｈ３の元に戻ろうとする付勢力、換言すれば、上部弾性片ｈ３ｂの先端と下部弾性片ｈ３ｃの先端とが離れようとする付勢力により、ロック部材配設領域Ａ内に配設されたロック部材Ｈは、ロック部材配設領域Ａを形成する周状フランジ部２ｂの垂直フランジ２ｂ１方向に移動し、図６に示されているように、長側壁２の周状フランジ部２ｂを形成する垂直フランジ２ｂ１に穿設された一対の透孔５ａ、５ｂに嵌合されている、ロック部材Ｈのロック部材Ｈの一対の嵌合ブロックｈ２の先端ｈ２ａが、係止枠４の先端４ｂまで突出している。この状態においては、ロック部材Ｈの基部ｈ１を形成する相対する垂直側板ｈ１ａのうち、庇部ｈ１ｅと反対側に位置する一方の垂直側板ｈ１ａが、長側壁２の周状フランジ部２ｂを形成する垂直フランジ２ｂ１に当接、或いは、接近して位置するように構成されているとともに、ロック部材Ｈの基部ｈ１を形成する相対する垂直側板ｈ１ａのうち、庇部ｈ１ｅ側に位置するもう一方の垂直側板ｈ１ａと、ロック部材配設領域Ａを形成する垂直フランジ側垂直リブ８ａとの間には、所定の間隙が形成されている。
【００２９】
また、長側壁２に形成されたロック部材配設領域Ａ内に位置する板状部２ａには、手や指が挿入可能な操作用窓孔１１が穿設されている。この操作用窓孔１１内には、ロック部材配設領域Ａに形成された操作用凹部ｈ６を形成する側壁ｈ６ａが位置するように構成されている。
【００３０】
次に、主として、図２及び図８を用いて、短側壁３について説明する。
【００３１】
短側壁３は、横長の略長方形状の板状部３ａを有しており、板状部２ａの両端垂直部には、板状部３ａに略垂直に、縦長の係止枠３ｂが形成されている。係止枠３ｂには、上下方向に、適当数の嵌合凹部或いは嵌合孔（以下、嵌合孔という。）３ｂ１が穿設されている。この嵌合孔３ｂ１は、長側壁２の係止枠４に形成された嵌合突片４ａと同じ数、穿設されており、折り畳みコンテナーを、箱型に組み立てた際に、短側壁３の係止枠３ｂと長側壁２の係止枠４とが対向するとともに、短側壁３の係止枠３ｂに穿設された嵌合孔３ｂ１に、長側壁２の係止枠４に形成された嵌合突片４ａが嵌合するように構成されている。
【００３２】
また、係止枠３ｂ付近に位置する板状部３ａの内面（折り畳みコンテナーを箱型に組み立てた際に、内側に位置する面）には、内面に略垂直に、所定の間隔を置いて、一対の突片３ｃ１が突設されており、突片３ｃ１の先端は、係止枠３ｂに略平行な垂直片３ｃ２により連結されている。このように、一対の突片３ｃ１と垂直片３ｃ２とにより、略コの字状の土手部３ｃが形成されている。そして、係止枠３ｂに隣接して、略コの字状の土手部３ｃと係止枠３ｂとにより囲まれた嵌合凹部３ｄが、短側壁３の板状部３ａの上端部付近及び中央部付近に形成されている。
【００３３】
短側壁３の板状部３ａの外壁面（折り畳みコンテナーを箱型に組み立てた際に、外側に位置する面）には、適宜、外周フランジ３ｅや、適当数の水平リブ３ｆや垂直リブ３ｇが形成されている。
【００３４】
次に、箱型に組み立てられた折り畳みコンテナーにおける、ロック部材Ｈ等の作動や機能について説明する。
【００３５】
折り畳みコンテナーが箱型に組み立てられた状態においては、短側壁３の係止枠３ｂと長側壁２の係止枠４とが対向するとともに、短側壁３の係止枠３ｂに穿設された嵌合孔３ｂ１に、長側壁２の係止枠４に形成された嵌合突片４ａが嵌合されており、更に、弾性変形している上部弾性片ｈ３ｂと下部弾性片ｈ３の元に戻ろうとする付勢力、換言すれば、上部弾性片ｈ３ｂの先端と下部弾性片ｈ３ｃの先端とが離れようとする付勢力により、ロック部材Ｈの一対の嵌合ブロックｈ２は、短側壁３の係止枠３ｂに近接して形成された略コの字状の土手部３ｃと係止枠３ｂとにより囲まれた一対の嵌合凹部３ｄに嵌合されている。
【００３６】
上述したように、折り畳みコンテナーが箱型に組み立てられた状態における、長側壁２に配設されたロック部材Ｈの一対の嵌合ブロックｈ２と短側壁３に形成された一対の嵌合凹部３ｄとによる一対の嵌合位置の一方の嵌合位置は、長側壁２と短側壁３の上端部付近にあり、また、もう一方の嵌合位置は、長側壁２と短側壁３の中央部付近にあるので、嵌合位置が側壁の上端部にある従来の折り畳みコンテナーに比べて、長側壁２と短側壁３の中央部付近における内側方向或いは外側方向への変形を抑制することができる。
【００３７】
図１に示されている箱型に組み立てられた折り畳みコンテナーを、図３に示されているように、折り畳むには、箱型に組み立てられた折り畳みコンテナーの長側壁２に配設されているロック部材Ｈの基部ｈ１に形成されている操作用凹部ｈ６に、指を入れて、ロック部材Ｈを、長側壁２の中央方向に移動させて、図７に示されているように、ロック部材Ｈの一対の嵌合ブロックｈ２の先端ｈ２ａを、係止枠４の先端４ｂから引っ込めて、短側壁３の係止枠３ｂに形成された一対の嵌合凹部３ｄから排出させる。その後、長側壁２を、底部１方向に倒して、底部１に重ねる。その後、短側壁３を、底部１方向に倒して、底部１に重ねられている長側壁２の上に重ねることにより、図３に示されているように、箱型に組み立てられた折り畳みコンテナーを折り畳む。
【００３８】
また、上述したように、長側壁２に形成されたロック部材配設領域Ａ内に位置する板状部２ａには、手や指が挿入可能な操作用窓孔１１が穿設されているので、箱型に組み立てられた折り畳みコンテナーの内部に手を入れて、指を、操作用窓孔１１に挿入し、指を、操作用凹部ｈ６を形成する側壁ｈ６ａに当てて、ロック部材Ｈを、長側壁２の中央方向に移動させて、ロック部材Ｈの一対の嵌合ブロックｈ２を、短側壁３に形成された一対の嵌合凹部３ｄから排出させることもできる。このように、ロック部材Ｈを、箱型に組み立てられた折り畳みコンテナーの内側からも操作することができるので、ロック部材Ｈの操作性が向上し、ひいては、折り畳みコンテナーの折り畳み作業の作業性が向上する。
【００３９】
箱型に組み立てられた折り畳みコンテナーの折り畳み作業の際には、作業者は、相対する長側壁２の一方の長側壁２の略中央部に立ち、相対する長側壁２に配設されたロック部材Ｈを操作することになるが、箱型に組み立てられた折り畳みコンテナーが大きくない場合には、手前に位置する長側壁２に配設されたロック部材Ｈの操作用凹部ｈ６に外側から指を入れて、ロック部材Ｈを移動させて、長側壁２を底部１方向に倒し、次いで、遠い方の長側壁２に配設されたロック部材Ｈの操作用凹部ｈ６に外側から指を入れて、ロック部材Ｈを移動させて、長側壁２を底部１方向に倒すことができる。しかしながら、箱型に組み立てられた折り畳みコンテナーが大きい場合には、手前に位置する長側壁２に配設されたロック部材Ｈの操作用凹部ｈ６に外側から指を入れて、ロック部材Ｈを移動させて、長側壁２を底部１方向に倒すことは可能であるが、手を伸ばして、遠い方の長側壁２に配設されたロック部材Ｈの操作用凹部ｈ６に外側から指を入れて、ロック部材Ｈを移動させることが困難な場合があり、また、遠い方の長側壁２に配設されたロック部材Ｈの操作用凹部ｈ６の位置が確認できないために、箱型に組み立てられた折り畳みコンテナーの折り畳み作業の作業性が悪くなるが、本実施例においては、遠い方の長側壁２に配設されたロック部材Ｈを、長側壁２に形成されたロック部材配設領域Ａ内に位置する板状部２ａに形成された操作用窓孔１１を通して、箱型に組み立てられた折り畳みコンテナーの内側から操作することができるとともに、操作用窓孔１１を通して、ロック部材Ｈの位置が確認できるので、折り畳みコンテナーの折り畳み作業の作業性が向上する。
【００４０】
次に、図３に示されている折り畳まれた状態の折り畳みコンテナーを、図１に示されているように、箱型に組み立てる組み立て作業について説明する。
【００４１】
先ず最初に、略水平状態に倒されている短側壁３を、図２に示されているように、略垂直に立てる。次いで、底部１に重なるように倒されている長側壁２を、垂直方向に回動させることになるが、長側壁２が、略垂直に近づいた時点で、或いは、予め、長側壁２に配設されているロック部材Ｈの基部ｈ１に形成されている操作用凹部ｈ６に、指を入れて、ロック部材Ｈを、長側壁２の中央方向に移動させて、図７に示されているように、ロック部材Ｈの一対の嵌合ブロックｈ２の先端ｈ２ａを、係止枠４の先端４ｂから引っ込める。次いで、短側壁３の係止枠３ｂと長側壁２の係止枠４とを対向させるとともに、短側壁３の係止枠３ｂに穿設された嵌合孔３ｂ１に、長側壁２の係止枠４に形成された嵌合突片４ａを嵌合させ、その後、ロック部材Ｈの基部ｈ１に形成されている操作用凹部ｈ６から指を離すと、図６に示されているように、ロック部材Ｈのロック部材Ｈの嵌合ブロックｈ２の先端ｈ２ａが、係止枠４の先端４ｂまで突出し、短側壁３の係止枠３ｂに形成された嵌合凹部３ｄに嵌合することになる。このようにして、折り畳まれた状態の折り畳みコンテナーが、箱型に組み立てられることになる。
【００４２】
なお、本実施例においては、ロック部材Ｈの嵌合ブロックｈ２の外側に位置する面、換言すれば、長側壁２の板状部２ａの外壁面２ａ１側に位置する面の先端部には、傾斜ガイド面ｈ２ｂが形成されている。嵌合ブロックｈ２の先端部に、このような傾斜ガイド面ｈ２ｂを形成することにより、折り畳みコンテナーの組み立て作業において、短側壁３を立設させた後に、長側壁２を立設する際に、ロック部材Ｈを手で操作して、ロック部材Ｈの一対の嵌合ブロックｈ２を、図７に示されているように、引っ込める必要がない。図６に示されているように、ロック部材Ｈのロック部材Ｈの一対の嵌合ブロックｈ２の先端ｈ２ａが、係止枠４の先端４ｂまで突出している状態で、長側壁２を、垂直方向に回動させると、短側壁３に形成された嵌合孔３ｂ１への長側壁２の係止枠４に形成された嵌合突片４ａの嵌合と前後して、嵌合ブロックｈ２が、短側壁３に形成された略コの字状の土手部３ｃに当接することになるが、土手部３ｃには、嵌合ブロックｈ２の傾斜ガイド面ｈ２ｂが当接するように構成されているので、ロック部材Ｈは、弾性部材ｈ３を形成する上部弾性片ｈ３ｂと下部弾性片ｈ３の付勢力に抗して、長側壁２の中央方向に移動し、従って、  嵌合ブロックｈ２は、短側壁３に形成された土手部３ｃを越えることができ、嵌合ブロックｈ２が、土手部３ｃを越えるた後は、ロック部材Ｈは、弾性部材ｈ３を形成する上部弾性片ｈ３ｂと下部弾性片ｈ３の付勢力により、長側壁２の周状フランジ部２ｂを形成する垂直フランジ２ｂ１方向に移動し、嵌合ブロックｈ２が、短側壁３に形成された嵌合凹部３ｄに嵌合することになる。
【００４３】
上述したように、ロック部材Ｈの嵌合ブロックｈ２の外側に位置する面の先端部に、傾斜ガイド面ｈ２ｂを形成することにより、折り畳みコンテナーの組み立て作業の際に、ロック部材Ｈを手で操作することなく、長側壁２を、そのまま、垂直方向に回動させるだけで、短側壁３に形成された嵌合孔３ｂ１へ、長側壁２の係止枠４に形成された嵌合突片４ａを嵌合させるとともに、ロック部材Ｈの嵌合ブロックｈ２を、短側壁３に形成された嵌合凹部３ｄに嵌合することができるので、折り畳みコンテナーの組み立て作業の作業性が向上する。
【００４４】
上述した実施例には、長側壁２に配設されたロック部材Ｈに、２個の嵌合ブロックｈ２を形成し、２個の嵌合ブロックｈ２に対応して、短側壁３には、２個の嵌合凹部３ｄが形成された例が示されているが、長側壁２に配設されたロック部材Ｈには、３個以上の嵌合ブロックｈ２するとともに、３個以上の嵌合ブロックｈ２に対応して、短側壁３に、３個以上の嵌合凹部３ｄを形成することもできる。
【００４５】
箱型に組み立てられた折り畳みコンテナーを構成する長側壁２の下部は、底部１に、ヒンジ部材を介して連結されており、また、短側壁３の下部も、同様に、底部１に、ヒンジ部材を介して連結されているので、長側壁２の下部及び短側壁３の下部が、内側方向或いは外側方向へ変形することは少ないので、上述した長側壁２に配設されたロック部材Ｈの複数の嵌合ブロックｈ２と、短側壁３に形成された複数の嵌合凹部３ｄとによる複数の嵌合位置は、少なくとも、長側壁２と短側壁３とが、内側方向或いは外側方向へ変形し易い、長側壁２と短側壁３の上端部付近と中央部付近に配置する。このように構成することにより、長側壁２及び短側壁３の内側方向或いは外側方向へ変形を、効果的に抑制することができる。
【００４６】
勿論、長側壁２の下部及び短側壁３の下部に、ロック部材Ｈの嵌合ブロックｈ２と短側壁３に形成された嵌合凹部３ｄとによる嵌合位置を配置することもできる。このように、長側壁２の下部及び短側壁３の下部に、上記の嵌合位置を配置することにより、底部１と長側壁２とのヒンジ連結部及び底部１と短側壁３とのヒンジ連結部の損傷を防止することができる。
【００４７】
また、上述した実施例には、長側壁２に、ロック部材Ｈを配設し、短側壁３に、ロック部材Ｈに形成された複数の嵌合ブロックｈ２が嵌合可能な嵌合凹部３ｄを形成した例が示されているが、短側壁３に、ロック部材Ｈを配設し、長側壁２に、ロック部材Ｈに形成された複数の嵌合ブロックｈ２が嵌合可能な嵌合凹部を形成することもできる。
【図面の簡単な説明】
【００４８】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーを構成するロック部材と長側壁の斜視図である。
【図５】図５は、本発明の折り畳みコンテナーを構成するロック部材の斜視図である。
【図６】図６は、天板が省略されたロック部材が、長側壁に配設された状態の本発明の折り畳みコンテナーの部分拡大斜視図である。
【図７】図７は、同じく、天板が省略されたロック部材が、長側壁に配設された状態の本発明の折り畳みコンテナーの部分拡大斜視図である。
【図８】図８は、本発明の折り畳みコンテナーを構成する短側壁の部分拡大斜視図である。
【符号の説明】
【００４９】
Ａ・・・・・・・・・・・・・・・ロック部材配設領域
Ｈ・・・・・・・・・・・・・・・ロック部材
ｈ２・・・・・・・・・・・・・・嵌合ブロック
１・・・・・・・・・・・・・・・底部
２・・・・・・・・・・・・・・・長側壁
３・・・・・・・・・・・・・・・短側壁
３ｂ・・・・・・・・・・・・・・係止枠
４・・・・・・・・・・・・・・・係止枠
【図１】
2005104490.tif 000003
【図２】
2005104490.tif 000004
【図３】
2005104490.tif 000005
【図４】
2005104490.tif 000006
【図５】
2005104490.tif 000007
【図６】
2005104490.tif 000008
【図７】
2005104490.tif 000009
【図８】
2005104490.tif 000010